【手続補正書】
【提出日】平成18年9月11日(2006.9.11)
【手続補正１】
【補正対象書類名】明細書
【補正対象項目名】発明の名称
【補正方法】変更
【補正の内容】
【発明の名称】通信装置、プログラム及び記憶媒体
【手続補正２】
【補正対象書類名】明細書
【補正対象項目名】特許請求の範囲
【補正方法】変更
【補正の内容】
【特許請求の範囲】
【請求項１】
過去に発信した発信先に対してリダイヤルキー操作により再度発信を行うリダイヤル機能を備える通信装置において、
発信操作に伴うリダイヤル登録時にユーザが選択的に指定した付加情報をリダイヤル用メモリ中のそのリダイヤル宛先に対応させて登録するリダイヤル情報登録手段と、
前記リダイヤルキー操作に伴う前記リダイヤル用メモリ中に登録されたリダイヤル宛先の検索時にそのリダイヤル宛先の表示に併せて前記付加情報の有無をユーザに喚起させる喚起手段と、を備えることを特徴とする通信装置。
【請求項２】
前記付加情報は、ファクシミリ伝送手順により送信されるＦコードであることを特徴とする請求項１記載の通信装置。
【請求項３】
前記付加情報は、受信端末を特定するために付与されるサブアドレスデータであることを特徴とする請求項１記載の通信装置。
【請求項４】
前記付加情報は、複数の宛先を同時に指定するための同報通信情報であることを特徴とする請求項１記載の通信装置。
【請求項５】
前記喚起手段は、前記付加情報を有するリダイヤル宛先の場合はそのリダイヤル宛先の表示部分近傍に配設されたＬＥＤを点灯させる手段である請求項１ないし４の何れか一記載の通信装置。
【請求項６】
予め発信先番号を登録して登録番号メモリに記憶させ、登録キーを操作して登録番号による発信動作を行う登録番号発信手段と、
前記リダイヤル用メモリに記憶されたリダイヤル宛先中で検索指定されたリダイヤル宛先に関して前記付加情報を引用せずに発信先番号として前記登録番号メモリに転送して登録編集する登録編集手段と、を備えることを特徴とする請求項１ないし５の何れか一記載の通信装置。
【請求項７】
予め発信先番号を登録して登録番号メモリに記憶させ、登録キーを操作して登録番号による発信動作を行う登録番号発信手段と、
前記リダイヤル用メモリに記憶されたリダイヤル宛先中で検索指定されたリダイヤル宛先に関して前記付加情報中のサブアドレスデータを引用して発信先番号として前記登録番号メモリに転送して登録編集する登録編集手段と、を備えることを特徴とする請求項１ないし５の何れか一記載の通信装置。
【請求項８】
予め複数の発信先番号をグループ宛先としてまとめて登録して登録番号メモリに記憶させ、登録キーを操作して登録番号による発信動作を行う登録番号発信手段と、
前記リダイヤル用メモリに記憶されたリダイヤル宛先中で前記グループ宛先のメンバーとして検索指定されたリダイヤル宛先に関して前記付加情報を引用せずに前記登録番号メモリに転送して登録編集する登録編集手段と、を備えることを特徴とする請求項１ないし５の何れか一記載の通信装置。
【請求項９】
予め複数の発信先番号をグループ宛先としてまとめて登録して登録番号メモリに記憶させ、登録キーを操作して登録番号による発信動作を行う登録番号発信手段と、
前記リダイヤル用メモリに記憶されたリダイヤル宛先中で前記グループ宛先のメンバーとして検索指定されたリダイヤル宛先に関して前記付加情報中のサブアドレスデータを引用して前記登録番号メモリに転送して登録編集する登録編集手段と、を備えることを特徴とする請求項１ないし５の何れか一記載の通信装置。
【請求項１０】
前記登録編集手段は、前記リダイヤル情報登録手段により複数の宛先が同時に指定された同報通信情報を含むリダイヤル宛先をグループ宛先としての検索指定の対象とすることを特徴とする請求項８又は９記載の通信装置。
【請求項１１】
過去に発信した発信先に対してリダイヤルキー操作により再度発信を行うリダイヤル機能を備える通信装置が備えるコンピュータにインストールされ、前記コンピュータに、発信操作に伴うリダイヤル登録時にユーザが選択的に指定した付加情報を併せてリダイヤル用メモリ中のそのリダイヤル宛先に登録するリダイヤル情報登録機能と、
前記リダイヤルキー操作に伴う前記リダイヤル用メモリ中に登録されたリダイヤル宛先の検索時にそのリダイヤル宛先の表示に併せて前記付加情報の有無をユーザに喚起させる喚起機能と、を実行させるプログラム。
【請求項１２】
前記付加情報は、ファクシミリ伝送手順により送信されるＦコードであることを特徴とする請求項１１記載のプログラム。
【請求項１３】
前記付加情報は、受信端末を特定するために付与されるサブアドレスデータであることを特徴とする請求項１１記載のプログラム。
【請求項１４】
前記付加情報は、複数の宛先を同時に指定するための同報通信情報であることを特徴とする請求項１１記載のプログラム。
【請求項１５】
前記喚起機能は、前記付加情報を有するリダイヤル宛先の場合はそのリダイヤル宛先の表示部分近傍に配設のＬＥＤを点灯させる機能である請求項１１ないし１４の何れか一記載のプログラム。
【請求項１６】
予め発信先番号を登録して登録番号メモリに記憶させ、登録キーを操作して登録番号による発信動作を行う登録番号発信機能と、
前記リダイヤル用メモリに記憶されたリダイヤル宛先中で検索指定されたリダイヤル宛先に関して前記付加情報を引用せずに発信先番号として前記登録番号メモリに転送して登録編集する登録編集機能と、を前記コンピュータに実行させることを特徴とする請求項１１ないし１５の何れか一記載のプログラム。
【請求項１７】
予め発信先番号を登録して登録番号メモリに記憶させ、登録キーを操作して登録番号による発信動作を行う登録番号発信機能と、
前記リダイヤル用メモリに記憶されたリダイヤル宛先中で検索指定されたリダイヤル宛先に関して前記付加情報中のサブアドレスデータを引用して発信先番号として前記登録番号メモリに転送して登録編集する登録編集機能と、を前記コンピュータに実行させることを特徴とする請求項１１ないし１５の何れか一記載のプログラム。
【請求項１８】
予め複数の発信先番号をグループ宛先としてまとめて登録して登録番号メモリに記憶させ、登録キーを操作して登録番号による発信動作を行う登録番号発信機能と、
前記リダイヤル用メモリに記憶されたリダイヤル宛先中で前記グループ宛先のメンバーとして検索指定されたリダイヤル宛先に関して前記付加情報を引用せずに前記登録番号メモリに転送して登録編集する登録編集機能と、を前記コンピュータに実行させることを特徴とする請求項１１ないし１５の何れか一記載のプログラム。
【請求項１９】
予め複数の発信先番号をグループ宛先としてまとめて登録して登録番号メモリに記憶させ、登録キーを操作して登録番号による発信動作を行う登録番号発信機能と、
前記リダイヤル用メモリに記憶されたリダイヤル宛先中で前記グループ宛先のメンバーとして検索指定されたリダイヤル宛先に関して前記付加情報中のサブアドレスデータを引用して前記登録番号メモリに転送して登録編集する登録編集機能と、を前記コンピュータに実行させることを特徴とする請求項１１ないし１５の何れか一記載のプログラム。
【請求項２０】
前記登録編集機能は、前記リダイヤル情報登録機能により複数の宛先が同時に指定された同報通信情報を含むリダイヤル宛先をグループ宛先としての検索指定の対象とすることを特徴とする請求項１８又は１９記載のプログラム。
【請求項２１】
請求項１１ないし２０の何れか一記載のプログラムを格納したコンピュータ読取り可能な記憶媒体。
【手続補正３】
【補正対象書類名】明細書
【補正対象項目名】００１４
【補正方法】変更
【補正の内容】
【００１４】
本発明は、発信操作時にユーザにより選択的に付加されるＦコード、サブアドレスデータ或いは同報通信情報等の付加情報をリダイヤル登録してリダイヤル操作性を向上させるとともにリダイヤル操作時の誤りを防止できる通信装置、プログラム及び記憶媒体を提供することを目的とする。
【手続補正４】
【補正対象書類名】明細書
【補正対象項目名】００１５
【補正方法】変更
【補正の内容】
【００１５】
併せて，本発明は、リダイヤル登録された情報のワンタッチダイヤル登録等への転用に際して、その後の使い勝手のよい形で登録することができる通信装置、プログラム及び記憶媒体を提供することを目的とする。
【手続補正５】
【補正対象書類名】明細書
【補正対象項目名】００１６
【補正方法】変更
【補正の内容】
【００１６】
【課題を解決するための手段】
請求項１記載の発明は、過去に発信した発信先に対してリダイヤルキー操作により再度発信を行うリダイヤル機能を備える通信装置において、発信操作に伴うリダイヤル登録時にユーザが選択的に指定した付加情報をリダイヤル用メモリ中のそのリダイヤル宛先に対応させて登録するリダイヤル情報登録手段と、前記リダイヤルキー操作に伴う前記リダイヤル用メモリ中に登録されたリダイヤル宛先の検索時にそのリダイヤル宛先の表示に併せて前記付加情報の有無をユーザに喚起させる喚起手段と、を備える。
【手続補正６】
【補正対象書類名】明細書
【補正対象項目名】００１８
【補正方法】変更
【補正の内容】
【００１８】
請求項２記載の発明は、請求項１記載の通信装置において、前記付加情報は、ファクシミリ伝送手順により送信されるＦコードである。
【手続補正７】
【補正対象書類名】明細書
【補正対象項目名】００２０
【補正方法】変更
【補正の内容】
【００２０】
請求項３記載の発明は、請求項１記載の通信装置において、前記付加情報は、受信端末を特定するために付与されるサブアドレスデータである。
【手続補正８】
【補正対象書類名】明細書
【補正対象項目名】００２２
【補正方法】変更
【補正の内容】
【００２２】
請求項４記載の発明は、請求項１記載の通信装置において、前記付加情報は、複数の宛先を同時に指定するための同報通信情報である。
【手続補正９】
【補正対象書類名】明細書
【補正対象項目名】００２４
【補正方法】変更
【補正の内容】
【００２４】
請求項５記載の発明は、請求項１ないし４の何れか一記載の通信装置において、前記喚起手段は、前記付加情報を有するリダイヤル宛先の場合はそのリダイヤル宛先の表示部分近傍に配設されたＬＥＤを点灯させる手段である。
【手続補正１０】
【補正対象書類名】明細書
【補正対象項目名】００２６
【補正方法】変更
【補正の内容】
【００２６】
請求項６記載の発明は、請求項１ないし５の何れか一記載の通信装置において、予め発信先番号を登録して登録番号メモリに記憶させ、登録キーを操作して登録番号による発信動作を行う登録番号発信手段と、前記リダイヤル用メモリに記憶されたリダイヤル宛先中で検索指定されたリダイヤル宛先に関して前記付加情報を引用せずに発信先番号として前記登録番号メモリに転送して登録編集する登録編集手段と、を備える。
【手続補正１１】
【補正対象書類名】明細書
【補正対象項目名】００２８
【補正方法】変更
【補正の内容】
【００２８】
請求項７記載の発明は、請求項１ないし５の何れか一記載の通信装置において、予め発信先番号を登録して登録番号メモリに記憶させ、登録キーを操作して登録番号による発信動作を行う登録番号発信手段と、前記リダイヤル用メモリに記憶されたリダイヤル宛先中で検索指定されたリダイヤル宛先に関して前記付加情報中のサブアドレスデータを引用して発信先番号として前記登録番号メモリに転送して登録編集する登録編集手段と、を備える。
【手続補正１２】
【補正対象書類名】明細書
【補正対象項目名】００３０
【補正方法】変更
【補正の内容】
【００３０】
請求項８記載の発明は、請求項１ないし５の何れか一記載の通信装置において、予め複数の発信先番号をグループ宛先としてまとめて登録して登録番号メモリに記憶させ、登録キーを操作して登録番号による発信動作を行う登録番号発信手段と、前記リダイヤル用メモリに記憶されたリダイヤル宛先中で前記グループ宛先のメンバーとして検索指定されたリダイヤル宛先に関して前記付加情報を引用せずに前記登録番号メモリに転送して登録編集する登録編集手段と、を備える。
【手続補正１３】
【補正対象書類名】明細書
【補正対象項目名】００３２
【補正方法】変更
【補正の内容】
【００３２】
請求項９記載の発明は、請求項１ないし５の何れか一記載の通信装置において、予め複数の発信先番号をグループ宛先としてまとめて登録して登録番号メモリに記憶させ、登録キーを操作して登録番号による発信動作を行う登録番号発信手段と、前記リダイヤル用メモリに記憶されたリダイヤル宛先中で前記グループ宛先のメンバーとして検索指定されたリダイヤル宛先に関して前記付加情報中のサブアドレスデータを引用して前記登録番号メモリに転送して登録編集する登録編集手段と、を備える。
【手続補正１４】
【補正対象書類名】明細書
【補正対象項目名】００３４
【補正方法】変更
【補正の内容】
【００３４】
請求項１０記載の発明は、請求項８又は９記載の通信装置において、前記登録編集手段は、前記リダイヤル情報登録手段により複数の宛先が同時に指定された同報通信情報を含むリダイヤル宛先をグループ宛先としての検索指定の対象とする。
【手続補正１５】
【補正対象書類名】明細書
【補正対象項目名】０１０２
【補正方法】変更
【補正の内容】
【０１０２】
【発明の効果】
請求項１記載の発明の通信装置によれば、リダイヤル用メモリにリダイヤル宛先やその名称だけでなく、ユーザが選択的に指定した付加情報も併せてリダイヤル登録されるので、リダイヤル機能を利用した送信時にはこれらの付加情報を入力し直すことなくそのままリダイヤル送信させることができ、操作性のよいリダイヤル機能となる。このようなリダイヤル送信に際してのリダイヤル宛先の検索時に付加情報が含まれているか否かが喚起手段により喚起されるので、意図しない付加情報を付加したままの状態でリダイヤル送信してしまったり、意図する付加情報をつけない状態でリダイヤル送信してしまうような不具合を未然に防止することができる。
【手続補正１６】
【補正対象書類名】明細書
【補正対象項目名】０１０３
【補正方法】変更
【補正の内容】
【０１０３】
請求項２記載の発明によれば、請求項１記載の通信装置において、付加情報の代表例として、ＳＵＢ親展送信等に利用されるＦコードの扱いを明確にすることができる。
【手続補正１７】
【補正対象書類名】明細書
【補正対象項目名】０１０４
【補正方法】変更
【補正の内容】
【０１０４】
請求項３記載の発明によれば、請求項１記載の通信装置において、付加情報の代表例として、受信端末を特定するために付与されるサブアドレスデータの扱いを明確にすることができる。
【手続補正１８】
【補正対象書類名】明細書
【補正対象項目名】０１０５
【補正方法】変更
【補正の内容】
【０１０５】
請求項４記載の発明によれば、請求項１記載の通信装置において、付加情報の代表例として、複数の宛先を同時に指定するための同報通信情報の扱いを明確にすることができる。
【手続補正１９】
【補正対象書類名】明細書
【補正対象項目名】０１０６
【補正方法】変更
【補正の内容】
【０１０６】
請求項５記載の発明によれば、請求項１ないし４の何れか一記載の通信装置において、喚起手段を構成する上で、安価で簡易なＬＥＤを利用することができる。
【手続補正２０】
【補正対象書類名】明細書
【補正対象項目名】０１０７
【補正方法】変更
【補正の内容】
【０１０７】
請求項６記載の発明によれば、請求項１ないし５の何れか一記載の通信装置において、基本的にリダイヤル登録された内容に関してワンタッチ宛先等の登録番号メモリへの転用登録が可能であるが、この際、付加情報としてのＦコード等によっては送信毎にその付加状況が異なるケースが想定されることから、付加情報に関しては一律に登録番号メモリへの転用登録に引用させないようにしているので、必要最低限で融通性の高い状態で、かつ、付加情報の扱いに差が無く混乱を生じない状態で、登録番号メモリへの転用登録を行わせることができる。
【手続補正２１】
【補正対象書類名】明細書
【補正対象項目名】０１０８
【補正方法】変更
【補正の内容】
【０１０８】
請求項７記載の発明によれば、請求項１ないし５の何れか一記載の通信装置において、基本的にリダイヤル登録された内容に関してワンタッチ宛先等の登録番号メモリへの転用登録が可能であるが、この際、付加情報としてのサブアドレスデータに関しては相手を特定するためのデータである点を考慮して登録番号メモリへの転用登録に引用させるようにしているので、サブアドレスデータを含む場合の利便性の高い登録番号メモリへの転用登録を行わせることができる。
【手続補正２２】
【補正対象書類名】明細書
【補正対象項目名】０１０９
【補正方法】変更
【補正の内容】
【０１０９】
請求項８記載の発明によれば、請求項１ないし５の何れか一記載の通信装置において、基本的にリダイヤル登録された内容に関してグループ宛先としてまとめたグループダイヤル登録への転用登録が可能であるが、この際、付加情報としてのＦコード等によっては送信毎にその付加状況が異なるケースが想定されることから、付加情報に関しては一律に登録番号メモリへの転用登録に引用させないようにしているので、必要最低限で融通性の高い状態で、かつ、付加情報の扱いに差が無く混乱を生じない状態で、グループ登録への転用登録を行わせることができる。
【手続補正２３】
【補正対象書類名】明細書
【補正対象項目名】０１１０
【補正方法】変更
【補正の内容】
【０１１０】
請求項９記載の発明によれば、請求項１ないし５の何れか一記載の通信装置において、基本的にリダイヤル登録された内容に関してグループ宛先としてまとめたグループダイヤル登録へのへの転用登録が可能であるが、この際、付加情報としてのサブアドレスデータに関しては相手を特定するためのデータである点を考慮して登録番号メモリへの転用登録に引用させるようにしているので、サブアドレスデータを含む場合の利便性の高いグループ登録への転用登録を行わせることができる。
【手続補正２４】
【補正対象書類名】明細書
【補正対象項目名】０１１１
【補正方法】変更
【補正の内容】
【０１１１】
請求項１０記載の発明によれば、請求項８又は９記載の通信装置において、元々同報宛先を１つにまとめてリダイヤル登録された同報通信情報を含むリダイヤル宛先をグループ宛先に利用することで、個々に指定する手間を要せず、グループ登録への転用登録操作性を向上させることができる。